(57)【要約】【課題】内継手を用いて連結部分からの水漏れを無くすことができる軒樋の連結構造を提供する。【解決手段】軒樋１０は前面板１１、後面板１２、底面板１３からなる軒樋本体１０ａに前耳１４と後耳１５を備える。軒樋の連結構造７は前面板１１、後面板１２、底面板１３の内周面１０ｂに内継手１６の外周面１６ａを当接させて一対の軒樋端部１７を連結する。内継手１６の上方には押込手段２９が二組配置され、押込手段２９は金属製の帯状板３０とネジ部２８（雄ネジ部３４と雌ネジ部３３）とで構成される。帯状板３０の両端部３０ａ、３０ｂには前耳１４と後耳１５に係止する係止部３１、３２をそれぞれ備える。ネジ部２８は帯状板３０の中央部３０ｃに二組の雌ネジ部３３が溶接によって固着される。雄ネジ部３４のネジ推進力により雄ネジ部３４がこの連結材２５を介して内継手１６を軒樋１０のそれぞれの軒樋端部１７に押付けることができる。【選択図】  図１
2007120034.tif 000002
【特許請求の範囲】
【請求項１】
前面板、後面板、及び底面板からなる軒樋本体の前面板と後面板のそれぞれ上端部に内方又は外方へ向けて突出する前耳と後耳を備え、前記前面板、後面板、底面板の内周面を内継手の外周面に当接させて一対の軒樋端部を連結する軒樋の連結構造であって、
前記内継手の上方に帯状板とネジ部とからなる押込手段を二組配置し、それぞれの前記帯状板の両端部に前記前耳と前記後耳に係止する係止部を備えるとともに中間部に二組の雌ネジ部を固着し、ネジ推進力により前記内継手を前記一対の軒樋端部それぞれに押付ける雄ネジ部を前記雌ネジ部に備えることを特徴とする軒樋の連結構造。
【請求項２】
請求項１記載の軒樋の連結構造であって、前記内継手は前記前面板と前記後面板を連結する連結材を備え、前記雄ネジ部がこの連結材を介して前記内継手を前記一対の軒樋端部それぞれに押付けることを特徴とする軒樋の連結構造。
【請求項３】
請求項１又は請求項２に記載の軒樋の連結構造であって、前記前面板、後面板、底面板の内周面と前記内継手の外周面との間にパッキン材が宛がわれることを特徴とする軒樋の連結構造。
【請求項４】
請求項１乃至請求項３のいずれか１項に記載の軒樋の連結構造であって、前記帯状板は金属製であることを特徴とする軒樋の連結構造。
【発明の詳細な説明】
【技術分野】
【０００１】
本発明は、建築物の軒先に取付けられる軒樋の連結構造に関し、詳しくは、軒樋と内継手との密着度が向上する軒樋の連結構造に関する。
【背景技術】
【０００２】
従来、軒樋本体を長手方向に連結するときには、両方の軒樋本体の端部同士を突き合わせ、その軒樋本体の内周面に略当接するような当接片を有する合成樹脂材料製の内継手が接着剤を介して装着されていた。
【０００３】
この場合、軒樋本体内側の内継手が連結機能を有していても、その外周面と軒樋本体の内周面が全周に亘って密着せず、且つ、接着剤の塗布にバラツキがあるので、連結部分から雨水の漏れが生じることがあった。
【０００４】
このために、軒樋本体の内周面に装着する内継手に加えて、外周面に略当接し軒樋本体の前耳及び後耳に係合する前耳係合部及び後耳係合部を有する外継手が接着剤を介して装着されていたが、この方法では連結部分の外継手が大きく露出すので外観性に劣るという問題があった。
【０００５】
この問題を解決する方法が特許文献１に開示されている。図６に示すように、特許文献１の軒樋本体１は、上部にそれぞれ内方へ向けて突出する前耳３ｃ、後耳４ａと、その前耳３ｃ、後耳４ａに並設される溝３ｄ，４ｂとを有する前面板３、後面板４、及び底面板２を備え、前面板３、後面板４、底面板２の内周面に内継手５の外周面を当接させて連結する構造である。
【０００６】
そして、前面板３の略前方上方に屈曲する屈曲部３ａの内周面には上向きの凸条３ｂが設けられる。内継手５は、凸条３ｂに係合する下向きの係合溝５ｄを備える前板５ｂと後板５ｃ、底板５ａとからなり、これらの外周面を軒樋本体１の内周面に当接させるとともに前板５ｂ、後板５ｃの上端を前記溝３ｄ，４ｂに係合させる。
【特許文献１】特開２００１−１２０３０号公報
【発明の開示】
【発明が解決しようとする課題】
【０００７】
ところが、前記内継手５の構成を用いても、軒樋本体１の形状誤差で前記内継手５の外周面を軒樋本体１の内周面に均等に確実に当接させることは難しく、且つ、接着剤の塗布のバラツキにより、稀に連結部分から水漏れが発生することがあった。そこで、本発明はかかる従来技術の問題に鑑みなされたものであって、内継手を用いて密着性を向上させて連結部分からの水漏れを確実に防止できる軒樋の連結構造を提供することを目的とする。
【課題を解決するための手段】
【０００８】
請求項１の発明は、前面板、後面板、及び底面板からなる軒樋本体の前面板と後面板のそれぞれ上端部に内方又は外方へ向けて突出する前耳と後耳を備え、前記前面板、後面板、底面板の内周面を内継手の外周面に当接させて一対の軒樋端部を連結する軒樋の連結構造であって、前記内継手の上方に帯状板とネジ部とからなる押込手段を二組配置し、それぞれの前記帯状板の両端部に前記前耳と前記後耳に係止する係止部を備えるとともに中間部に二組の雌ネジ部を固着し、ネジ推進力により前記内継手を前記一対の軒樋端部それぞれに押付ける雄ネジ部を前記雌ネジ部に備えることを特徴としている。
【０００９】
請求項２の発明は、請求項１記載の軒樋の連結構造であって、請求項１記載の軒樋の連結構造であって、前記内継手は前記前面板と前記後面板を連結する連結材を備え、前記雄ネジ部がこの連結材を介して前記内継手を前記一対の軒樋端部それぞれに押付けることを特徴としている。
【００１０】
請求項３の発明は、請求項１又は請求項２に記載の軒樋の連結構造であって、前記前面板、後面板、底面板の内周面と前記内継手の外周面との間にパッキン材が宛がわれることを特徴としている。
【００１１】
請求項４の発明は、請求項１乃至請求項３のいずれか１項に記載の軒樋の連結構造であって、前記帯状板は金属製であることを特徴としている。
【発明の効果】
【００１２】
請求項１記載の発明によれば、軒樋の前記前面板、後面板、底面板の内周面を内継手の外周面に当接させて一対の軒樋端部を連結する軒樋の連結構造であって、前記内継手の上方に帯状板とネジ部とからなる押込手段を二組配置し、それぞれの前記帯状板の両端部に前記前耳と前記後耳に係止する係止部を備えるとともに中間部に二組の雌ネジ部を固着し、ネジ推進力により前記内継手を前記一対の軒樋端部それぞれに押付ける雄ネジ部を前記雌ネジ部に備えるので、前記内継手を確実にそれぞれの軒樋端部に押付けることができる。
【００１３】
このため、軒樋に形状誤差があっても連結部分の隙間がなくなり密着性が向上して止水機能が向上するので水漏れが無くなる。そして、内継手のみが用いられるので軒樋の連結部分の外観性を向上することができる。
【００１４】
請求項２記載の発明によれば、前記内継手は前記前面板と前記後面板を連結する連結材を備え、前記雄ネジ部がこの連結材を介して前記内継手を前記一対の軒樋端部それぞれに押付けるので、押付力は軒樋の前面板、後面板、底面板の内周面まで確実に伝わるので前記内継手が軒樋の内周面に確実に当接できる。このため、請求項１と同様の効果が得られる。
【００１５】
請求項３記載の発明によれば、前記軒樋の前記前面板、後面板、底面板の内周面と前記内継手の外周面との間にパッキン材が宛がわれるので、さらに確実に前記内継手をそれぞれの軒樋端部に密着して押付けることができる。このため、請求項１と同様の効果が得られる。
【００１６】
請求項４記載の発明によれば、前記帯状板は金属製のため十分な剛性を備えているので、雄ネジ部によるネジ推進力が確実に得られて前記内継手をそれぞれの軒樋端部に確実に押付けることができる。このため、請求項１と同様の効果が得られる。
【発明を実施するための最良の形態】
【００１７】
＜軒樋の連結構造の構成＞
以下に、本発明の第１の実施形態を図１〜図４に基づいて説明する。図１、図２、図３、図４に示すように、軒樋の連結構造７の軒樋１０は前面板１１、後面板１２、及び底面板１３からなる軒樋本体１０ａの前面板１１と後面板１２のそれぞれ上端部１１ａ、１２ａに内方、外方へ向けて突出する前耳１４と後耳１５を備える。そして、前面板１１、後面板１２、底面板１３の内周面１０ｂ（１１ｂ、１２ｂ、１３ｂ）に内継手１６の外周面１６ａを当接させて一対の軒樋端部１７（軒樋１０が実際に連結される部分）が連結される。
【００１８】
内継手１６の外周面１６ａの形状は、軒樋１０の前面板１１の前耳１４に当接する垂直板１６ｂを除いて軒樋本体１０ａの内周面１０ｂの形状とまったく同じ形状の前面板２１、後面板２２、及び底面板２３からなり、左右方向の幅Ｓは一対の軒樋１０、１０の連結に必要な幅Ｓである。それぞれの軒樋端部１７の連結幅Ｓ１とすると、Ｓ＝Ｓ１×２である。
【００１９】
垂直板１６ｂの両側部には矩形の開口４０が幅Ｓ４で設けられ、この開口４０に後述する帯状板３０の係止部３１（幅Ｓ５）がそれぞれ挿入できるように形成される。また、前耳近傍部１４ａの先端には内継手１６を取扱う際に掴みやすいように掴み部１１ｃを備える。そして、内継手１６は、内継手１６の幅方向の中心線Ｐが一対の軒樋１０、１０の端面２４の位置に合致するように位置決めされる。
【００２０】
内継手１６の上部には軒樋１０の後耳１５の下端部近傍における後面板２２の位置２２ａから内継手１６の底面板２３と平行に前面板２１と交わる位置２１ａに亘って連結材２５を備える。
【００２１】
この連結材２５の形状は両端部２５ａが内継手１６の前面板２１と後面板２２の幅Ｓと同じ幅Ｓに形成されるとともに中央部２５ｂの両端部２５ｃ間の幅Ｓ２は台形状の抉り部２５ｄによって幅狭（Ｓ２＜Ｓ）に形成され、さらに中央部２５ｂの内部領域２５ｅは両端部２５ｃのそれぞれの抉り部２５ｄを結合した形状に抉られる。ここで、２分割された中央部２５ｂのそれぞれの中心線をＰ１、Ｐ２とする。
【００２２】
連結材２５の中央部２５ｂを幅狭にすることで中央部２５ｂを撓み易くして、発生する弾性力が前面板２１を前面板１１に、後面板２２を後面板１２に当接させる力として寄与させるとともに、連結材２５の軒樋１０への装着作業も容易にできる。
【００２３】
内継手１６の上方には一対の軒樋端部１７を連結するために一対の押込手段２９が配置され、それぞれの押込手段２９は金属製の帯状板３０と２組のネジ部２８（雄ネジ部３４と雌ネジ部３３）とで構成される。
【００２４】
帯状板３０（幅Ｓ５）は水平状の中央部３０ｃから前方上方に略４５度の角度で延設する斜板３０ｄとその先端に水平な前端板３０ｅを備え、後方上方に略４５度の角度で延設する斜板３０ｆとその先端に水平な後端板３０ｇを備えて形成される。帯状板３０の両端部３０ａ、３０ｂには前耳１４と後耳１５に係止する係止部３１、３２をそれぞれ備える。前方の係止部３１（幅Ｓ５）は前端板３０ｅから連続する水平板３１ａと垂直板３１ｂによりＬ字状に形成され、上記のように係止部３１が（水平板３１ａを介して）開口４０に挿入される。
【００２５】
後方の係止部３２は後端板３０ｇから連続する弧状部３２ａを経て下方に延設する垂直板３２ｂが、さらに前方に水平に延設された係止部３２ｃを経て下方に垂直板３２ｄが延設される。係止部３２ｃにはその一部を切欠いて略４５度の角度に立ち上げた爪部４１が離脱防止用として形成される。このため、係止部３２は爪部４１を後耳１５の下部に突当てた状態で後耳１５に確実に係止することができる。
【００２６】
帯状板３０は前後方向の全域に亘って両側端４２を下方に折り曲げてフランジ部４３が形成されるが、このフランジ部４３は帯状板３０の上下方向の曲げに対する曲げ強度を向上させる補強構造である。なお、２組の帯状板３０は内継手１６の中央部２５ｂのそれぞれの中心線Ｐ１、Ｐ２上に位置するように配置される。
【００２７】
ネジ部２８は帯状板３０の中央部３０ｃに二組の雌ネジ部３３が溶接によって固着されるが、一方の雌ネジ部３３は底面板１３の垂直二等分線Ｑ上の僅か前方に配置され、他方の雌ネジ部３３は前面板１１に近接して配置される。雌ネジ部３３に螺合される雄ネジ部３４は雄ネジ本体３４ａとネジ回転用の蝶頭３４ｂを備える蝶ボルトである。そして、雄ネジ部３４のネジ推進力は、連結材２５の両端の位置２２ａと位置２１ａを中心にして連結材２５の中央部が下方に膨らむようなモーメントＭが働く。このため、連結材２５を介して内継手１６をそれぞれの軒樋端部１７に押付けることができる。
【００２８】
なお、二組の雌ネジ部３３間には長孔４４が設けられているが、長孔４４の代わりに帯状板３０の二組の雌ネジ部３３に対応する位置に雄ネジ部３４用の開口を各々設けてもよい。
【００２９】
さらに、軒樋１０の前面板１１、後面板１２、底面板１３の内周面１０ｂ（１１ｂ、１２ｂ、１３ｂ）と内継手１６の外周面１６ａとの間にパッキン材或いは強力ブチルテープ３６が内継手１６の両側近傍にそれぞれ貼り付けられる。
【００３０】
軒樋と内継手の材質は、ステンレスや亜鉛メッキをした金属、あるいは軽量化や耐腐食性を考慮して例えば硬質塩化ビニール樹脂等の合成樹脂材料、或いは、金属板の両面に合成樹脂材料を被覆して形成される。
【００３１】
＜軒樋の連結構造の作用＞
上記のように、一対の帯状板３０は両端部３０ａ、３０ｂの係止部３１、３２によって前耳１４と後耳１５に確実に係止されるので、雄ネジ部３４のネジ推進力は連結材２５を介して内継手１６を軒樋１０のそれぞれの軒樋端部１７に確実に押付けることができる。
【００３２】
より詳しくは、雄ネジ部３４のネジ推進力は、連結材２５の両端の位置２２ａと位置２１ａを中心にして連結材２５の中央部が下方に膨らむようなモーメントＭが働くので、底面板２３を底面板１３に直接押し込んで当接させる力に加えて、前面板２１を前面板１１に、後面板２２を後面板１２に当接させる力が生じる。このように、軒樋端部１７全面（前面板１１、後面板１２、底面板１３）に圧力が掛かるので安定して確実に水漏れを防止することができる。
【００３３】
また、軒樋１０の内周面１０ｂ（１１ｂ、１２ｂ、１３ｂ）と内継手１６の外周面１６ａとの間に設けられるパッキン材或いは強力ブチルテープ３６が、一対の軒樋端部１７に対応して内継手１６の両側部にそれぞれ貼り付けられるので、水漏れはさらに確実に防止できる。なお、別途ナットを追加してダブルナットの構成にすれば雄ねじと雌ねじの緩みが防止できるので、長期に亘って確実に水漏れの防止を維持できる。
【００３４】
＜本発明の第２の実施形態＞
以下に、本発明の第２の実施形態を図５に基づいて説明する。なお、図１に示した軒樋の連結構造と同じ構成部分については、図面に同符号を付して重複した説明を省略する。
【００３５】
図５に示すように、第２の実施形態は内継手１６の上部に連結材が形成されない。そして、内継手１６の上方に金属製の帯状板３０が二組配置され、帯状板３０の斜板３０ｄ、３０ｆの中央部３０ｃに跨る領域５０ａ、５０ｂに雌ネジ部３３が溶接によって固着される。このため、雌ネジ部３３は水平な中央部３０ｃに対してα＝略４５度の方向に傾斜している。
【００３６】
雄ネジ部３４の延長上の内継手１６の前面板２１と後面板２２には雄ネジ部３４のネジ推進力Ｒを受持つ受圧部５１ａ、５１ｂが配置される。
【００３７】
このため、雄ネジ部３４がこの受圧部５１ａ、５１ｂを介して内継手１６を前後方向（力Ｒ１＝Ｒ×cos４５度）と下方向（力Ｒ２＝Ｒ×sin４５度）に同時に押込むことができるので、軒樋端部１７全面（前面板１１、後面板１２、底面板１３）に圧力が掛かり確実に安定して水漏れを防止することができる。
【００３８】
以上、本発明の実施形態を図面に基づいて説明したが、上記の実施例はいずれも本発明の一例を示したものであり、本発明はこれらに限定されるべきでないということは言うまでもない。
【００３９】
たとえば、他の様々な断面形状を有する軒樋に対しても上記実施例と同様の構成を実施することができる。帯状板３０の中央部３０ｃに固着される二組の雌ネジ部３３の位置は、必ずしも、一方の雌ネジ部３３が底面板１３の垂直二等分線Ｑ上の僅か前方に配置され、他方の雌ネジ部３３が前面板１１に近接して配置される必要はなく、状況に応じて取付位置を適宜決めることができる。        
【図面の簡単な説明】
【００４０】
【図１】本発明の第１の実施形態における軒樋の連結構造の状態を示す断面図である。
【図２】本発明の第１の実施形態における軒樋の連結構造の分解断面斜視図である。
【図３】本発明の第１の実施形態における、図１のＡ−Ａ矢視図である。
【図４】本発明の第１の実施形態における、図１のＢ−Ｂ矢視図である。
【図５】本発明の第２の実施形態における軒樋の連結構造の状態を示す断面図である。
【図６】従来の軒樋の連結構造の状態を示す断面図である。
【符号の説明】
【００４１】
１０  軒樋
１０ａ  軒樋本体
１０ｂ  内周面
１１  前面板
１２  後面板
１３  底面板
１４  前耳
１５  後耳
１６  内継手
１６ａ  外周面
１７  軒樋端部
２８  ネジ部
２９  押込手段
３０  帯状板
３０ａ  端部
３０ｂ  端部
３０ｃ  中央部
３１  係止部
３２  係止部
３３  雌ネジ部
３４  雄ネジ部
【図１】
2007120034.tif 000003
【図２】
2007120034.tif 000004
【図３】
2007120034.tif 000005
【図４】
2007120034.tif 000006
【図５】
2007120034.tif 000007
【図６】
2007120034.tif 000008